(57)【特許請求の範囲】
【請求項１】
屋根材の重ね合わせ部に差し込まれる差込部と、この差込部の上面に固定され、屋根に沿って配置される這樋を支持する支持部とを備えている這樋支持具において、
前記差込部が上側屋根材と下側屋根材の間に差し込んで挟着される差込片と、この差込片の一端部から折り返し部を介して差込片の上方に折り返された取付片とで形成され、この差込片と取付片との間隔が部分的に上側屋根材の厚みより狭くなされ、前記差込片の上側屋根材と対向する面に、横方向からの風圧による這樋の横滑りを防止する滑り止め手段が設けられていることを特徴とする這樋支持具。
【発明の詳細な説明】
【０００１】
【発明の属する技術分野】
本発明は、屋根に沿って配置される這樋を屋根材に支持固定する這樋支持具に関する。
【０００２】
【従来の技術】
従来の這樋支持具は、実開昭５７−１６５３５号公報に記載されている。
上記公報記載の這樋支持具は、屋根に沿って設置される這樋を支持する支持部と、屋根材の重ね合わせ部に差し込まれる差込部とからなっている。
【０００３】
【発明が解決しようとする課題】
しかし、上記公報記載の従来の這樋支持具は、差込部と屋根材が接する面が平坦で滑らかな面で形成されているものであるから、這樋が横方向からの風圧を受けると、這樋支持具が横滑りして這樋を変形させ、やがては這樋を破損させるという問題があった。
【０００４】
本発明は、上記従来技術の問題を解決するためになされたものであって、その目的とするところは、横方向からの風圧による横滑りを防止する這樋支持具を提供することである。
【０００５】
【課題を解決するための手段】
請求項１記載の這樋支持具は、屋根材の重ね合わせ部に差し込まれる差込部と、この差込部の上面に固定され、屋根に沿って配置される這樋を支持する支持部とを備えている這樋支持具において、前記差込部が上側屋根材と下側屋根材の間に差し込んで挟着される差込片と、この差込片の一端部から折り返し部を介して差込片の上方に折り返された取付片とで形成され、この差込片と取付片との間隔が部分的に上側屋根材の厚みより狭くなされ、前記差込片の上側屋根材と対向する面に、横方向からの風圧による這樋の横滑りを防止する滑り止め手段が設けられているものである。
【０００６】
（作用）請求項１記載の這樋支持具においては、差込部が差込片と折り返し部と取付片とで形成され、この差込片と取付片との間隔が部分的に上側屋根材の厚みより狭くされているので、差込片と取付片との間で強固に狭持される。そして、差込片の上側屋根材と対向する面に、横方向からの風圧による這樋の横滑りを防止する滑り止め手段が設けられているので、横方向からの風圧による這樋支持具の横滑りを防止できる。この結果、這樋の変形や破損を防止することができる。
【０００７】
【発明の実施の形態】
以下、本発明の実施の形態を図面を参照して説明する。
図１は本発明の這樋支持具の第１実施例を示す斜視図、図２は図１の這樋支持具の使用状態を示す説明図である。
【０００８】
図において、這樋支持具１は、屋根に沿って配置される這樋４を支持するものである。この這樋４は断面がほぼ四角形状のものである。這樋支持具１は、這樋４を支持する支持部２と、屋根材５、５の重ね合わせ部に差し込まれる差込部３とを備えており、両者ともにステンレス鋼板で形成されている。
【０００９】
支持部２はその内周面が這樋４の外周面の形状とほぼ同じ形状になされ、上部支持部２１と下部支持部２２に分割されている。上部支持部２１と下部支持部２２のそれぞれの一端は、蝶番２５により回動自在に結合され、上部支持部２１の他端に設けられた凸状係止部２３を、下部支持部２２の他端に設けられた凹状係合部２４に嵌着することにより、這樋４を支持するようにされている。
【００１０】
差込部３は、取付片３１と、この取付片３１の一端部から折り返し部３２を介して取付片３１の下方に１８０°折り曲げられ、取付片３１と対向する差込片３３とからなっている。取付片３１にはその壁部が円弧状に窪んだ凹部３１１が２箇所に形成されており、この凹部３１１は取付片３１の幅方向に連続している。この結果、凹部３１１のところでは、取付片３１と差込片３３との間隔は屋根材５の厚みより狭くされている。差込片３３の上面には、先が尖った突起３４、３４が多数形成され、この多数の突起３４が滑り止め手段とされている。上記取付片３１は、前記支持部２の下方にビスによりかしめて固着されている。
【００１１】
つぎに、上記這樋支持具１の使用態様を図２に基づいて説明する。
屋根材５、５の重ね合わせ部に取付片３１を上方に持ち上げて差込片３３を差し込む。
この際、差込部３は弾性変形可能なステンレス鋼板で形成され、取付片３１の２箇所に凹部３１１が存在することにより、同部分にて、取付片３１と差込片３３との間隔が屋根材５の厚みより狭くなっている。この結果、２箇所の凹部３１１が押圧片としての機能を有しており、取付片３１の凹部３１１、３１１と差込片３３の間に屋根材５が強固に挟持される。
【００１２】
そして、支持部２の係止部２３と係合部２４の嵌着を解除して、上部支持部２１を開けて這樋４を設置したのち、係止部２３を係合部２４に嵌着して這樋４を支持部２にて支持する。すると、差込片３３の上面に存在する先端が尖った多数の突起３４が上側の屋根材５の裏面に突き刺さり、滑り止めの機能を果たすことになる。このため、這樋４が横方向からの風圧を受けても、この風圧による横滑りを防止することができる。
【００１３】
つぎに、本発明の這樋支持具の第２実施例について説明する。
図３は這樋支持具の正面図、図４は図３に対応する左側面図である。
【００１４】
図において、這樋支持具１Ａは、屋根に沿って配置される這樋４Ａを支持するものである。這樋４Ａは、図６に示すように、断面が三味胴形状のものであり、短辺側の両側壁のほぼ中央には、長手方向に沿って断面コ字状の溝４１Ａが形成されている。
這樋支持具１Ａは、這樋４Ａを支持する支持部２Ａと、屋根材５Ａ、５Ａの重ね合わせ部に差し込まれる差込部３Ａとを備えており、両者ともにステンレス鋼板で形成されている。
【００１５】
支持部２Ａはその内周面が這樋４Ａの外周面の約１／２形状とほぼ同じ形状になされ、下面支持部２１Ａと側面支持部２２Ａ、２２Ａとからなっており、バネ弾性を有している。両側面支持部２２Ａの上端は内方に折り曲げられて中空状の係止部２３Ａ、２３Ａとされている。この係止部２３Ａ、２３Ａを、這樋４Ａの両側壁の溝４１Ａに挿入係止することにより、這樋４Ａを支持するものである。
【００１６】
差込部３Ａは、取付片３１Ａと、この取付片３１Ａの一端部からく字状の折り返し部３２Ａを介して取付片３１Ａの下方に１８０°折り曲げられ、取付片３１Ａと対向する差込片３３Ａとからなっている。取付片３１Ａにはその壁部がＶ字状に窪んだ凹部３１１Ａが２箇所に形成されており、この凹部３１１Ａは取付片３１Ａの幅方向に連続している。この結果、凹部３１１Ａのところでは、取付片３１Ａと差込片３３Ａとの間隔は屋根材５Ａの厚みより狭くされている。
【００１７】
３４Ａ、３４Ａは滑り止め手段である横長台形状の切起し片である。この両切起し片３４Ａは、図４に示すように、這樋４Ａの配置方向に沿って形成されており、差込片３３Ａの壁部が取付片３１Ａ側に向かって、ハ字状に斜めに切り起こされている。図３に示すように、切起し片３４Ａの上部は２箇所が円弧状に切り欠かれ、３個の食い込み刃部３５Ａが形成されている。上記取付片３１Ａは支持部２Ａの下方にリベットによりかしめて固着されている。
【００１８】
つぎに、上記這樋支持具１Ａの使用態様を図５に基づいて説明する。
屋根材５Ａ、５Ａの重ね合わせ部に取付片３１Ａを上方に持ち上げて差込片３３Ａを差し込む。この際、差込部３Ａは弾性変形可能なステンレス鋼板で形成され、取付片３１Ａの２箇所に凹部３１１Ａが形成されていることにより、同部分にて、取付片３１Ａと差込片３３Ａとの間隔が屋根材５Ａの厚みより狭くされているので、２箇所の凹部３１１Ａが押圧片としての機能を有しており、取付片３１Ａの凹部３１１Ａ、３１１Ａと差込片３３Ａとの間に屋根材５Ａが挟持される。
【００１９】
そして、這樋４Ａの両側壁の溝４１Ａに、支持部２Ａの係止部２３Ａ、２３Ａを挿入係止して這樋４Ａを支持部２Ａにて支持する。すると、差込片３２Ａの切起し片３４Ａ、３４Ａの６個の食い込み刃部３５Ａが上側の屋根材５Ａの裏面に食い込んで滑り止めの機能を果たすことになる。このため、這樋４Ａが横方向からの風圧を受けても、この風圧による横滑りを防止することができる。なお、６Ａはアスファルトルーフィング、７Ａは野地板である。
【００２０】
上記実施例においては、滑り止め手段の具体例として、差込片３２の上面に設けた多数の突起３４、差込片３２Ａの壁部が這樋４Ａの配置方向に沿って取付片３１Ａ側に斜めに切り起こされて形成された切起し片３４Ａ、などを示したが、これに限定されるものではない。たとえば、ローレット加工のように表面に凹凸を形成したもの、紙やすりのような表面がざらざらしたものを差込片に貼着したもの、粘着剤が塗布された粘着シートを貼着したもの、ゴムや熱可塑性エラストマーのような摩擦係数の大きいシート材料を貼着したもの、などであってもよい。
【００２１】
また、上記実施例では、２個の切起し片３４Ａをハ字状に切り起こして形成したが、逆ハ字状に切り起こして形成してもよい。さらに、切起し片３４Ａは取付片３１Ａ側に形成するようにしてもよい。また、切起し片３４Ａは這樋４Ａの配置方向に沿って連続したものに限らず、複数の切起し片を不連続状に形成してものでもよい。
【００２２】  さらに、上記実施例では、差込部はステンレス製の板状のものとしたが、これ以外の金属材料、あるいはポリカーボネートや硬質塩化ビニル樹脂などの合成樹脂材料製のものとしてもよい。合成樹脂材料製のものであれば、風雨に曝されても腐食し難いので好適に使用できる。
【００２３】
【発明の効果】
請求項１記載の這樋支持具においては、差込部が上側屋根材と下側屋根材の間に挟着される差込片と、この差込片の一端部から折り返し部を介して差込片の上方に折り返された取付片とで形成され、この差込片と取付片との間隔が部分的に上側屋根材の厚みより狭くされているので、差込片と取付片との間で強固に狭持される。そして、差込片の上側屋根材と対向する面に、横方向からの風圧による這樋の横滑りを防止する滑り止め手段が設けられているので、横方向からの風圧による這樋支持具の横滑りを防止でき、この結果、這樋の曲りや損傷が生じない。
【図面の簡単な説明】
【図１】 本発明の這樋支持具の第１実施例を示す斜視図である。
【図２】 図１の這樋支持具の使用状態を示す説明図である。
【図３】 本発明の這樋支持具の第２実施例を示す正面図である。
【図４】 図３に対応する左側面図である。
【図５】 図３の這樋支持具の使用状態を示す説明図である。
【図６】 図５のＸ−Ｘ線での切断断面図である。
【符号の説明】
１、１Ａ  這樋支持具
２、２Ａ  支持部
２１Ａ  下面支持部
２２Ａ  側面支持部
２３Ａ  係止部
３、３Ａ  差込部
３１、３１Ａ  取付片
３１１、３１１Ａ  凹部
３２、３２Ａ  折り返し部
３３、３３Ａ  差込片
３４  突起（滑り止め手段）
３４Ａ  切起し片（滑り止め手段）
３５  食い込み刃部
４、４Ａ  這樋
４１Ａ  溝
５、５Ａ  屋根材
【図１】
0003742465.tif 000002
【図２】
0003742465.tif 000003
【図３】
0003742465.tif 000004
【図４】
0003742465.tif 000005
【図５】
0003742465.tif 000006
【図６】
0003742465.tif 000007